(57)【要約】【課題】ユーザーはテレビ電話機能を用いて通話するときは、お互いの視線を一致させることができるようにして、ユーザー同士が実際に会っているのと同様に自然な状態で会話をすることができるようにした通信端末装置を提供する。【解決手段】  照明制御手段及び表示情報制御手段４４は、照明手段３０、２７を作動状態とすると共に液晶パネルに情報を表示させる第１状態と、照明手段を非作動状態とすると共に液晶パネルに情報を表示させない第２状態とが交互に実施されるように、照明手段及び液晶パネルを制御し、画像取込制御手段４０は、前記第２状態のときに画像取り込み動作を行なうよう画像取込手段３２を制御する。【選択図】      図２
2006237914.tif 000002
【特許請求の範囲】
【請求項１】
各種の情報を表示可能な液晶パネルと、前記情報の当該液晶パネルへの表示を制御する表示情報制御手段とを有する携帯端末装置において、
前記液晶パネルの背面側を照明可能な照明手段と、
前記照明手段を制御する照明制御手段と、
前記液晶パネルの背面に対向して配置され、前記液晶パネルを通して外部の被写体の画像を取り込む画像取込手段と、
前記画像取込手段を制御すると共に、取り込まれた画像の画像処理を行う画像取込制御手段と、を有し、
前記液晶パネルは、前記照明手段が作動状態にあり背面側が照明されているときに表面側に前記情報を表示可能な表示状態となり、前記照明手段が非作動状態にあり前記背面側が照明されていないときには表面側から背面側に光が透過可能な光透過状態となるように構成されており、
前記照明制御手段及び前記表示情報制御手段は、前記照明手段を作動状態とすると共に前記液晶パネルに前記情報を表示させる第１状態と、前記照明手段を非作動状態とすると共に前記液晶パネルに前記情報を表示させない第２状態とが交互に実施されるように、前記照明手段及び前記液晶パネルを制御し、
前記表示情報制御手段は、前記第１状態のときに前記液晶パネルに表示させる情報を設定された表示モードに応じて制御し、
前記画像取込制御手段は、前記第２状態のときに画像取り込み動作を行なうよう前記画像取込手段を制御する
ことを特徴とする携帯端末装置。
【請求項２】
前記表示情報制御手段は、前記第２状態のときに前記液晶パネルへの前記情報の信号の供給を停止する
ことを特徴とする請求項１記載の携帯端末装置。
【請求項３】
前記画像取込制御手段は、前記第１状態のときに前記画像取込手段の画像取り込み動作を禁止させる
ことを特徴とする請求項１又は２記載の携帯端末装置。
【請求項４】
他の通信装置と通信可能な通信手段を有し、
前記表示モードは、前記通信手段を介して前記他の通信装置と画像の送受信を行なうテレビ電話モードを有し、
前記表示情報制御手段は、前記表示モードとして前記テレビ電話モードが選択されている場合、前記第１状態のときに、前記液晶パネルに前記他の通信装置から送信された画像を前記情報として表示させ、
前記画像取込制御手段は、前記第２状態のときに前記画像取込手段にて取り込まれた画像を前記通信手段に出力し、
前記通信手段は、前記画像取込制御手段から出力された画像を前記他の通信装置側へ送信する
ことを特徴とする請求項１ないし３のいずれか一に記載の携帯端末装置。
【請求項５】
前記表示モードは、自者撮影モードを有し、
前記表示情報制御手段は、前記表示モードとして前記自者撮影モードが選択されている場合、前記第２状態のときに前記画像取込手段によって取り込まれた画像を、前記第１状態となったときに前記液晶パネルに前記情報として表示させる
ことを特徴とする請求項１ないし４のいずれか一に記載の携帯端末装置。
【請求項６】
前記照明手段は、
前記液晶パネルの背面側に対向して配置され、自らの側面側からの入射光を前記液晶パネルの背面へ導く導光板と、
当該導光板の側部に設けられて導光板の側面側から前記入射光を入射する光源と
を有して構成されることを特徴とする請求項１ないし５のいずれか一に記載の携帯端末装置。
【請求項７】
前記液晶パネルの前記撮影手段に対向する部分に、前記画像取込手段が取り込む被写体像の光が通る光ガイド孔が形成された
ことを特徴とする請求項１ないし６のいずれか一に記載の携帯端末装置。
【発明の詳細な説明】
【技術分野】
【０００１】
本発明は、例えば、電子カメラ等の画像取込手段が一体的に設けられている携帯電話機等の携帯端末装置に関するものである。
【背景技術】
【０００２】
近年、携帯電話機等の携帯端末装置の多機能化が進み、音声データだけでなく画像データをも送受信することができるようになって、いわゆるテレビ電話としての機能をも有するような携帯電話機等の実現、改良が提案されていた（例えば、特許文献１参照）。
【０００３】
このような、テレビ電話としての機能を有する携帯端末装置には、電子カメラなどの画像取込手段が一体的に設けられていて、この電子カメラにより取り込まれたお互いのユーザーの顔の画像データが、音声データと共に相手の通信装置に送受信されることにより、お互いに相手の顔を見ながら通話できるテレビ電話としての機能を実現することができるようになっている。
【特許文献１】特開２００２−１６８９６号
【発明の開示】
【発明が解決しようとする課題】
【０００４】
しかしながら、上記のようなテレビ電話機能を備えた携帯端末装置にあっては、テレビ電話として使用する場合はユーザーは相手の顔を見ながら通話するために、携帯端末装置の表示部の画面（表示画面）に視線を向けるようになっているが、ユーザーの顔を取り込むための電子カメラは、上記表示画面を見るときに邪魔にならないように、表示画面の輪郭の外側に配置されるため、相手の通信装置の表示画面には、電子カメラから視線をそらしたユーザーの顔が表示されてしまう。
【０００５】
このため、携帯端末装置のユーザーはそのテレビ電話機能を用いて通話するときは、お互いの視線を一致させて会話することができないので、お互いに視線をそらした不自然な状態での会話しかできないという現象が生じてしまう問題があった。
【０００６】
このような問題を解決するために、アームの先端部に支持された電子カメラを表示画面の中央部に配置させることにより、相手の通信装置の表示画面に、電子カメラと視線を一致させたユーザーの顔が表示されるようにしたものもあるが、このような場合は、表示画面に映る相手の顔の中央部手前に電子カメラがあるので、そのカメラが気になってやはり不自然な状態での会話しかできないという現象が生じてしまう。
【０００７】
そこで本発明は、上記問題点に鑑みて、電子カメラ等の画像取込手段が一体的に設けられている携帯端末装置であって、この携帯端末装置がテレビ電話機能を有している場合、ユーザーがテレビ電話機能を用いて他の通信装置と通話するときは、お互いの視線を一致させて通話することができるようにして、ユーザー同士が実際に会って会話をしているのと同様に、自然な状態で会話をすることができるようにした携帯端末装置を提供することを課題とするものである。
【課題を解決するための手段】
【０００８】
上記課題を解決するために、本発明による携帯端末装置は、
各種の情報を表示可能な液晶パネルと、前記情報の当該液晶パネルへの表示を制御する表示情報制御手段とを有する携帯端末装置において、
前記液晶パネルの背面側を照明可能な照明手段と、
前記照明手段を制御する照明制御手段と、
前記液晶パネルの背面に対向して配置され、前記液晶パネルを通して外部の被写体の画像を取り込む画像取込手段と、
前記画像取込手段を制御すると共に、取り込まれた画像の画像処理を行う画像取込制御手段と、を有し、
前記液晶パネルは、前記照明手段が作動状態にあり背面側が照明されているときに表面側に前記情報を表示可能な表示状態となり、前記照明手段が非作動状態にあり前記背面側が照明されていないときには表面側から背面側に光が透過可能な光透過状態となるように構成されており、
前記照明制御手段及び前記表示情報制御手段は、前記照明手段を作動状態とすると共に前記液晶パネルに前記情報を表示させる第１状態と、前記照明手段を非作動状態とすると共に前記液晶パネルに前記情報を表示させない第２状態とが交互に実施されるように、前記照明手段及び前記液晶パネルを制御し、
前記表示情報制御手段は、前記第１状態のときに前記液晶パネルに表示させる情報を設定された表示モードに応じて制御し、
前記画像取込制御手段は、前記第２状態のときに画像取り込み動作を行なうよう前記画像取込手段を制御することを特徴とするものである。
【０００９】
また、本発明による携帯端末装置は、
前記表示情報制御手段は、前記第２状態のときに前記液晶パネルへの前記情報の信号の供給を停止することを特徴とするものである。
【００１０】
また、本発明による携帯端末装置は、
前記画像取込制御手段は、前記第１状態のときに前記画像取込手段の画像取り込み動作を禁止させることを特徴とするものである。
【００１１】
また、本発明による携帯端末装置は、
他の通信装置と通信可能な通信手段を有し、
前記表示モードは、前記通信手段を介して前記他の通信装置と画像の送受信を行なうテレビ電話モードを有し、
前記表示情報制御手段は、前記表示モードとして前記テレビ電話モードが選択されている場合、前記第１状態のときに、前記液晶パネルに前記他の通信装置から送信された画像を前記情報として表示させ、
前記画像取込制御手段は、前記第２状態のときに前記画像取込手段にて取り込まれた画像を前記通信手段に出力し、
前記通信手段は、前記画像取込制御手段から出力された画像を前記他の通信装置側へ送信することを特徴とするものである。
【００１２】
また、本発明による携帯端末装置は、
前記表示モードは、自者撮影モードを有し、
前記表示情報制御手段は、前記表示モードとして前記自者撮影モードが選択されている場合、前記第２状態のときに前記画像取込手段によって取り込まれた画像を、前記第１状態となったときに前記液晶パネルに前記情報として表示させることを特徴とするものである。
【００１３】
また、本発明による携帯端末装置は、
前記照明手段は、
前記液晶パネルの背面側に対向して配置され、自らの側面側からの入射光を前記液晶パネルの背面へ導く導光板と、
当該導光板の側部に設けられて導光板の側面側から前記入射光を入射する光源と
を有して構成されることを特徴とするものである。
【００１４】
また、本発明による携帯端末装置は、
前記液晶パネルの前記撮影手段に対向する部分に、前記画像取込手段が取り込む被写体像の光が通る光ガイド孔が形成されたことを特徴とするものである。
【発明の効果】
【００１５】
このような携帯端末装置によれば、電子カメラ等の画像取込手段が一体的に設けられている携帯端末装置であって、この携帯端末装置がテレビ電話機能を有している場合に、ユーザーがそのテレビ電話機能を用いて他の通信装置と通話するときは、お互いの視線を一致させて通話することができるので、ユーザー同士が実際に会って会話をしているのと同様に、自然な状態で会話をすることができる。
【発明を実施するための最良の形態】
【００１６】
以下に、本発明の実施の形態について、図面に基づいて具体的に説明する。
図１ないし６は、本発明による携帯端末装置の第１の実施の形態に係る携帯電話機１０について説明するために参照する図である。
【００１７】
図１は、本実施の形態に係る携帯電話機１０（携帯端末装置）を示す図であり、この携帯電話機１０は、複数のキー１６が操作可能に配置された操作部１４及びマイクロフォン３８が設けられた第１ケース１１と、表示部１７及びスピーカー３６が設けられた第２ケース２１を備えている。
【００１８】
これらの第１ケース１１と第２ケース２１との間にはヒンジ１８が設けられていて、このヒンジ１８を介して第１ケース１１と第２ケース２１は、図１に示すような開いた状態から、第２ケース２１が回動して操作部１４を覆うように第１ケース１１に重ね合わされて閉じた状態にすることができる。
【００１９】
第２ケース２１の表示部１７の透明なガラス板又はプラスチック板等の表面板部材の内側には、図２に示すような、各種の情報を表示可能なＬＣＤ（液晶ディスプレイ）パネル２５（液晶パネル）が、その平面が上記表面板部材の平面と平行に配置されて設けられている。
【００２０】
ケース２１のＬＣＤパネル２５より内側には、後述するバックライト３０からの照明光Ｌ１（入射光）を反射するのに用いられるプリズム２７（導光板）が設けられている。プリズム２７の側部（図２中上部）には、プリズム２７の反射面２７ａにより反射される照明光Ｌ１を発光するバックライト３０（光源）が設けられている。
これらのバックライト３０及びプリズム２７は、全体として、ＬＣＤパネル２５の背面側を照明可能な照明手段を構成している。
【００２１】
ケース２１内の、プリズム２７に対してＬＣＤパネル２５と反対側には、ＬＣＤパネル２５の背面側に対向して配置され、ＬＣＤパネル２５及びプリズム２７を通して外部の被写体像を取り込む電子カメラ３２（画像取込手段）が設けられている。このような電子カメラ３２には、ＣＣＤ（電荷結合素子、Ｃｈａｒｇｅ  Ｃｏｕｐｌｅｄ  Ｄｅｖｉｃｅ）等の撮像素子を用いることができる。
【００２２】
上記ＬＣＤパネル２５は、バックライト３０の発光によりプリズム２７の側面から入射してプリズム２７の反射面２７ａにより反射された照明光Ｌ１がＬＣＤパネル２５の背面側を照明するとき（照明手段の作動状態のとき）は、各種の情報を表示することができる状態（表示状態）となる。
【００２３】
これに対して、バックライト３０が発光せずにＬＣＤパネル２５の背面側が照明されないとき（照明手段の非作動状態のとき）には、表面側から背面側に光を透過可能な状態（光透過状態）となる。そして、このときにＬＣＤパネル２５とプリズム２７とが単なる透明体となって、表示部１７の外部からの被写体像の光Ｌ２をカメラ３２に向かって透過させることができるような性質のものが、ＬＣＤパネル２５及びプリズム２７に用いられている。
【００２４】
したがって、ＬＣＤパネル２５とプリズム２７とが表示部１７の外部からの被写体像の光Ｌ２を透過させることができる光透過状態となっているときは、カメラ３２はその被写体の画像を撮影して取り込むことができるようになっている。
【００２５】
図３は、携帯電話機１０の回路構成を示すブロック図である。携帯電話機１０は、すでに説明した操作部１４、表示部１７（ＬＣＤパネル２５）、バックライト３０、電子カメラ３２、スピーカー３６及びマイクロホン３８の他に、無線通信部３３（通信手段）、記憶部３４を備えており、これらは制御部４２により制御されて動作するようになっている。
【００２６】
ここで、操作部１４、表示部１７（ＬＣＤパネル２５）、無線通信部３３、記憶部３４、制御部４２、スピーカー３６及びマイクロホン３８は、従来の一般的な携帯電話機と同様に動作するものである。
【００２７】
電子カメラ３２は、表示部１７の外側からの光Ｌ２から被写体像を撮影する。そしてこの電子カメラ３２には、このカメラ３２が撮影した被写体の画像を取り込むと共に、その画像を電気信号に変換して制御部４２に出力する（画像取り込み動作をする）カメラ制御部４０（画像取込制御手段）が接続されている。そしてこのカメラ制御部４０は、電子カメラ３２が撮影動作をしたときは、自ら上記のような画像取り込み動作のＯＮ／ＯＦＦを制御する。
【００２８】
また、バックライト３０と、表示部１７のＬＣＤパネル２５の各々には、それらの照明動作と表示動作を制御する液晶制御部４４（照明制御手段、表示情報制御手段）が接続されている。
【００２９】
そして、上記のカメラ制御部４０と液晶制御部４４は、制御部４２の一部により構成される表示切り替え制御部４２ａに接続されて、この表示切り替え制御部４２ａにより制御されるようになっている。
【００３０】
このような構成を有する携帯電話機１０の動作について、図４のフローチャート及び図５，６のタイムチャートに基づいて、以下に説明する。
【００３１】
まず、各種入力情報を取得して、この入力情報から携帯電話機１０における機能モードの検出を行い（ステップＳ１）、初めにステップＳ２において、携帯電話機１０が撮影モードになっているか、すなわち、電子カメラ３２が撮影した被写体の画像の画像取り込み動作をカメラ制御部４０が行ない、この撮影された被写体の画像を液晶制御部４４がＬＣＤパネル２５に表示させるような機能モードとなっているかを検出する。
【００３２】
上記ステップＳ２においてＹＥＳの場合は、電子カメラ３２がその撮影動作を行い、カメラ制御部４０が上記画像取り込み動作を行なう（ステップＳ３）。ここで、画像取り込み動作を行なうときは、制御部４２の表示切り替え制御部４２ａが、カメラ制御部４０と液晶制御部４４を併行して制御し、この際に、極小時間の間隔で、カメラ制御部４０の画像取り込み動作と、ＬＣＤパネル２５の画像表示動作を交互に切替えるように、表示切り替え制御部４２ａがカメラ制御部４０及び液晶制御部４４を介してそのタイミングを制御する。
【００３３】
このとき、カメラ制御部４０は、図５（ｃ）に示すように、極小時間の間隔で、電子カメラ３２が撮影した被写体の画像を取り込んでその画像を電気信号に変換して制御部４２に出力する画像取り込み動作をする状態（画像取り込みＯＮ）と、そのような画像取り込み動作をしない状態（画像取り込みＯＦＦ）とを繰り返すように制御するようになっている。
【００３４】
また、液晶制御部４４も、バックライト３０の照明動作及びＬＣＤパネル２５の表示動作を併行して制御するが、このときバックライト３０が、図５（ｂ）に示すように、極小時間の間隔で、点灯するバックライトＯＮの状態と、消灯するバックライトＯＦＦの状態とを繰り返すと共に、図５（ａ）に示すように、ＬＣＤパネル２５は画像が表示可能な状態と、表面側から背面側に光が透過する光透過状態（単に透明になる状態）とを繰り返すようになっている。
【００３５】
すなわち、前述したように、図２におけるバックライト３０に通電して発光動作を行なわせると、ＬＣＤパネル２５はその背面から照明されて所定の画像を表示可能な状態となり、バックライト３０に通電しないときは発光動作が行なわれずにＬＣＤパネル２５はその背面が照明されないので、ＬＣＤパネル２５は透明となって画像を表示しない状態となり、これら２つの状態が極小時間毎に交互に繰り返すようになっている。
【００３６】
したがって、液晶制御部４４は、図５（ａ）及び図５（ｂ）に示すように、バックライト３０のＯＮ、ＯＦＦを制御すると共に、このバックライト３０の照明動作に合わせてＬＣＤパネル２５への画像等の情報の出力（ＬＣＤパネル２５の表示動作）をＯＮ、ＯＦＦ制御する、即ち、バックライト３０がＯＮ（作動状態）とされてＬＣＤパネル２５が表示状態にあるときに、ＬＣＤパネル２５へ画像等の情報を出力してＬＣＤパネル２５に当該情報が表示される状態（第１状態）と、バックライト３０がＯＦＦ（非作動状態）とされて、ＬＣＤパネル２５が非表示状態となる状態（第２状態）とが交互に実施されるように、バックライト３０とＬＣＤパネル２５とを同期して制御するようになっている。
【００３７】
そして、バックライト３０がＯＦＦとなりＬＣＤパネル２５が光透過状態にあるときに、液晶制御部４４がＬＣＤパネル２５の表示動作をＯＦＦにする、即ちＬＣＤパネル２５に情報（画像）の信号を出力しない（液晶パネルへの情報の信号の供給を停止する）状態となることにより、ＬＣＤパネル２５の透明度を高めることができる。
【００３８】
また、上記バックライト３０のＯＮ、ＯＦＦの状態と、電子カメラ３２からの画像取り込み動作状態との関係においては、バックライト３０がＯＦＦのとき、すなわちバックライト３０が発光しなくてＬＣＤパネル２５とプリズム２７とが透明の状態のときに、電子カメラ３２によって撮影された画像を取り込む画像取り込み状態となるように、表示切替制御部４２ａがカメラ制御部４０と液晶制御部４４を同期して制御するようになっている。そして、ＬＣＤパネル２５が表示状態にあるときには、カメラ制御部４０による画像取り込み動作をＯＦＦとする（画像取り込み動作を禁止する）ことにより、カメラ制御部４０が被写体以外の画像を取り込むことを抑制できる。
【００３９】
バックライト３０がＯＮとなり、ＬＣＤパネル２５が画像を表示可能な状態となっているときは、ＬＣＤパネル２５には電子カメラ３２が撮影してカメラ制御部４０に取り込まれた被写体の画像が表示されるようになっている。そして、その表示される画像は、極小時間の間隔で、例えば１秒間に１２０回位の頻度で表示したりされなかったりを繰り返しているので、人間の目には表示が継続されているように見える。
【００４０】
携帯電話機１０の表示部１７をユーザーの顔に向けているときは、ファインダーとしてのＬＣＤパネル２５にはそのユーザーの顔が表示されると共に、互いの視線が完全に一致するので、ユーザーにとっては表示部１７がまるで鏡のように見えることになる（自者撮影モード）。
【００４１】
そして、機能モードが撮影モードに設定されているときには、ユーザーが所定の操作キーを押すことにより、カメラ制御部４０が電子カメラ３２のシャッタスイッチがＯＮするように制御すれば、電子カメラ３２によって撮影されて取り込んだユーザーの顔などの被写体の静止画像を記憶部３４に記憶させることができると共に、後でスチル写真として紙に印刷して保存することもできる。
【００４２】
次に、再び図４のフローチャートのステップＳ２において、携帯電話機１０の機能モードが撮影モードにはなっていないと判別された場合（ＮＯの場合）は、次に、テレビ電話モードの状態になっているかについて判別される（ステップＳ４）。このステップＳ４においてＹＥＳの場合は、ステップＳ３の場合と同様に、電子カメラ３２からの画像取り込み動作とＬＣＤパネル２５の画像表示動作を極小時間毎に切り替えるよう動作させるが、次の点においてステップＳ３の場合とは異なっている。
【００４３】
すなわち、ＬＣＤパネル２５が表示可能な状態となっているときには、電子カメラ３２から取り込んだユーザーの顔（被写体）の画像をそのユーザーの携帯電話機１０の表示部１７に表示するのではなく、そのユーザーの顔の画像を信号化してその信号を無線通信部３３よりテレビ電話の相手方の電話機（通信装置）に送信すると共に、相手方の電話機から送信されて無線通信部３３で受信した相手方の顔の画像を自分の携帯電話機１０の表示部１７に表示するよう、制御部４２が無線通信部３３及び表示切り替え制御部４２ａを制御するようになっている。このようにして、携帯電話機１０のテレビ電話機能を用いることができる。
【００４４】
次に、図４のフローチャートのステップＳ４において、携帯電話機１０の機能モードがテレビ電話モードの状態にはなっていないと判別された場合（ＮＯの場合）は、電子カメラ３２はＯＦＦの状態となって、図６（ｃ）に示すように、電子カメラ３２は画像取り込み動作を行なわないようになっている（画像取込ＯＦＦ）。
【００４５】
このため、電子カメラ３２及びカメラ制御部４０はＬＣＤパネル２５に表示させるファインダ画像を出力することはなく、ＬＣＤパネル２５は極小時間の間隔で表示動作のＯＮ，ＯＦＦを繰り返すこともない。
【００４６】
すなわち、図６（ａ），（ｂ）に示すように、バックライト３０がＯＮを継続することにより、ＬＣＤパネル２５は通常の状態で表示動作（液晶画像表示）を継続するよう、制御部４２の表示切り替え制御部４２ａが液晶制御部４４を制御するようになっている。このとき電子カメラ３２及びカメラ制御部４０は画像取り込み動作を行なわないので、ＬＣＤパネル２５には電子カメラ３２が撮影した画像が表示されることはなく、別の画像（情報）が表示されることになる。
【００４７】
以上説明したように、本発明の第１の実施の形態によれば、携帯電話機１０のテレビ電話機能を用いるときは、電子カメラ３２はＬＣＤパネル２５の背面側から、すなわちユーザーの顔を真正面から撮影することができるので、ユーザーはテレビ電話で通話するときは、お互いの視線を一致させることができて、ユーザー同士が実際に会って会話しているのと同様に、自然な状態で会話をすることができる。
【００４８】
図７は、本発明の第２の実施の形態について説明するために参照する図である。前記第１の実施の形態においては、バックライト３０からの照明光Ｌ１をプリズム２７の反射面２７ａにより反射させて、ＬＣＤパネル２５をその背面から照明するようにしていたのに対して、この第２の実施の形態においては、バックライト３０及びプリズム２７の代わりに、ＬＣＤパネル２５の背面に対向してその背面から照明することができるバックライト３７（光源）を用いていると共に、このバックライト３７には、表示部１７の外側から電子カメラ３２への被写体像の光Ｌ２が通る光ガイド孔３７ａが形成されている。
【００４９】
すなわち、このバックライト３７は、前記第１の実施の形態のようにバックライト３０からの照明光Ｌ１をプリズム２７の反射面２７ａにより反射させてＬＣＤパネル２５を照明していたのと異なり、バックライト３７自体が、ＬＣＤパネル２５の背面を照明する照明光Ｌ３を、全面にわたって均一に発光するようになっている。
【００５０】
そして、前記第１の実施の形態においては、バックライト３０が発光しないときにプリズム２７が透明な状態にならなければ、外部からの被写体像の光Ｌ２は電子カメラ３２まで通ることができなかったが、この第２の実施の形態においては、バックライト３７にはその外部からの被写体像の光Ｌ２が通る光ガイド孔３７ａが形成されているので、バックライト３７が発光しないときにこれ自体が透明である必要はない。
【００５１】
このような、本発明の第２の実施の形態においても、前記第１の実施の形態の説明で用いた図５に示したと同様に、バックライト３７のＯＮ、ＯＦＦを極小時間毎に交代するように制御すると共に、電子カメラ３２及びカメラ制御部４０の画像取り込み動作を極小時間毎にＯＮ、ＯＦＦするように制御するようになっている。そして、このような第２の実施の形態によっても、前記第１の実施の形態と同様の効果を得ることができる。
【００５２】
なお、前記実施の形態においては、本発明を携帯電話機１０に適用した場合について説明したが、本発明は携帯電話機１０に限定して適用する必要はなく、家庭や会社、事務所等に据え付けられている固定電話機に適用してもよく、或はＰＤＡ（Ｐｅｒｓｏｎａｌ  Ｄｉｇｉｔａｌ  Ａｓｓｉｓｔａｎｔ）等の、他のどのような携帯端末装置に適用してもよい。
【００５３】
また、上述した実施の形態では、表示切り替え制御部４２ａが液晶制御部４４を制御して、ＬＣＤパネル２５が表示可能な状態、即ちＬＣＤパネル２５の背面がバックライト３０からの照明光Ｌ１によって照明されている状態にあるときにのみ、ＬＣＤパネル２５に表示させる情報（画像）をＬＣＤパネル２５に出力する構成としたが、この構成に限定されることなく、ＬＣＤパネル２５の背面が照明されていない状態のときにも情報（画像）をＬＣＤパネル２５へ出力するようにしてもよい。
【００５４】
また、カメラ制御部４０による画像取り込み動作のＯＮ／ＯＦＦ制御に代えて、カメラ制御部４０が電子カメラ３２の動作をＯＮ／ＯＦＦ制御するように構成してもよい。
また、カメラ制御部４０は、ＬＣＤパネル２５が光透過状態にある、即ちＬＣＤパネル２５の背面が照明されていない状態にあるときにのみ、画像取り込み動作を行うような構成としたが、バックライト３０の作動状態（ＬＣＤパネルの照明状態）に関係なく、常時画像取り込み動作を行うように構成してもよい。
【００５５】
また、照明手段や表示手段は、どのような構成であってもよく、ＬＣＤパネル２５の照明動作のＯＮ／ＯＦＦ制御により、表示手段が情報（画像）を表示可能な状態と光透過状態とに切り替え可能な構成であればよい。
【図面の簡単な説明】
【００５６】
【図１】本発明の第１の実施の形態に係る携帯電話機１０を示す斜視図である。
【図２】本発明の第１の実施の形態に係る携帯電話機１０の要部を示す概略断面側面図である。
【図３】図１における携帯電話機１０の回路構成を示すブロック図である。
【図４】図１における携帯電話機１０の要部の動作手順を説明するためのフローチャートである。
【図５】図１における携帯電話機１０の要部の動作を説明するためのタイムチャートである。
【図６】図１における携帯電話機１０の要部の他の動作を説明するためのタイムチャートである。
【図７】本発明の第２の実施の形態に係る携帯電話機の要部を示す概略断面側面図である。
【符号の説明】
【００５７】
１０  携帯電話機
１１  第１ケース
１４  操作部
１６  キー
１７  表示部
１８  ヒンジ
２１  第２ケース
２５  ＬＣＤパネル
２７  プリズム
２７ａ  反射面
３０  バックライト
３２  電子カメラ
３３  無線通信部
３４  記憶部
３６  スピーカー
３７  バックライト
３７ａ  光ガイド孔
３８  マイクロフォン
４０  カメラ制御部
４２  制御部
４２ａ  表示切り替え制御部
４４  液晶制御部
Ｌ１  照明光
Ｌ２  被写体像の光
Ｌ３  照明光
【図１】
2006237914.tif 000003
【図２】
2006237914.tif 000004
【図３】
2006237914.tif 000005
【図４】
2006237914.tif 000006
【図５】
2006237914.tif 000007
【図６】
2006237914.tif 000008
【図７】
2006237914.tif 000009